(57)【要約】【課題】            従前のダンパー装置にあって、点検扉を開けてケーシング内の清掃作業をする際、ケーシング内には駆動軸、弁体、アーム等の要素が存在しているため、それらに付着している粉体や、ケーシングの内壁に付着している粉体を完全に除去することが困難となってしまい、次に処理される粉体と混合を生じてしまう虞を有しているという点である。【解決手段】        上部に入口開口、下部に出口開口を有するケーシングの側面に点検扉を形成し、前記した入口開口の内縁に弁座を形成し、その弁座に対し軸支されたアームに取り付けられたフラップ弁体で開閉するダンパー装置において、前記した点検扉に気密に貫通する軸体を設け、その軸の外部に駆動源を設置し、内部に前記したフラップ弁の枢動軸を連結してあることとする。【選択図】          図１
2006161974.tif 000002
【特許請求の範囲】
【請求項１】
上部に入口開口、下部に出口開口を有するケーシングの側面に点検扉を形成し、前記した入口開口の内縁に弁座を形成し、その弁座に対し軸支されたアームに取り付けられたフラップ弁体で開閉するダンパー装置において、前記した点検扉に気密に貫通する軸体を設け、その軸の外部に駆動源を設置し、内部に前記したフラップ弁の枢動軸を連結してあることを特徴とするダンパー装置。
【請求項２】
前記した点検扉はヒンジを介し、ケーシングに対して枢動されるものであることを特徴とする請求項１に記載のダンパー装置。
【請求項３】
前記したケーシングは略四角形筒状のものとし、点検扉はその側面に対応する矩形状の板体としたことを特徴とする請求項１または請求項２に記載のダンパー装置。
【発明の詳細な説明】
【技術分野】
【０００１】
本発明はダンパー装置に関し、特にケーシング内部を適宜に洗浄する必要を有するサニタリー型のダンパー装置に関する。
【背景技術】
【０００２】
一般的に、各種の粉体を製造し、搬送するに際して、逆流を防止するため、内部にフラップ弁体を枢支し、流路を開閉するダンパー装置が使用される。このダンパー装置として、内部圧力の異なるケーシングを連結し、その内部を移動させるダブルダンパータイプや一方が大気圧で他方が大気と差圧があるケーシングとしたシングルダンパータイプのものが知られている。
【０００３】
この従来のダンパー装置としては図３、図４に示す構造のものが存在している。この図３は従来のダンパー装置を示す断面図であり、図４は同じく図３の場合と直交するラインでの断面図である。
【０００４】
この図３、図４にあってａはケーシングを示しており、このケーシングａは上下方向に貫通する中空室を内部に有し、その上方は粉体等の対象物の入口開口、下方は同じく出口開口となっている。この入口開口の内縁には弁座ｂが設けられた構成となっている。
【０００５】
また、前記したケーシングａの対面する両サイドには開閉を自在とされた点検扉ｔ、ｔが備えられている。さらに、ケーシングａの点検扉ｔ、ｔと平行する壁面には駆動軸ｅが貫通して備えられており、この駆動軸ｅはケーシングａの外部にあってパッキンｇ、ｇを介して支持されている。
【０００６】
前記した駆動軸ｅはケーシングａから突出された一方の端部にあって、駆動源となるシリンダーｊに一端を連接したアームｈの他端に形成されたリング状の支持部ｈ’に挿通されており、シリンダーｊの動きによって回動するアームｈで所定角度の回動を可能とされている。
【０００７】
そして、前記した駆動軸ｅにはケーシングａ内の略中央位置にあって、アームｄの一端が固定されている。この固定構造は駆動軸ｅがアームｄの一端に設けられた円筒状のホルダーｋに密に嵌装されたものとしている。
【０００８】
このアームｄの先端には一対のブラケットｃ’を介してフラップ弁体ｃが取り付けられており、このフラップ弁体ｃは駆動軸ｅの回動によって弁座ｂの下端縁と接離し、粉体等の対象物の搬送路を開閉するものとなっている。
【０００９】
従前のダンパー装置は上記のように構成されているものであり、このダンパー装置は、例えば種類の異なる粉体を処理する場合、ある粉体の生産が終了すると、次の粉体の処理にかかる前に、ケーシングａ内に残存している事前の粉体を完全に除去する必要があるサニタリー型のものとなっている。この除去、洗浄のため点検扉ｔ、ｔが存在し、この点検扉ｔ、ｔを開け、ケーシングａ内の清掃作業を行なうこととなる。
【特許文献１】本発明に関して、出願人は先行している技術文献の調査を行なったが格別に関連すると思われる文献は発見することができなかった。
【発明の開示】
【発明が解決しようとする課題】
【００１０】
本発明が解決しようとする問題点は、従前のダンパー装置にあって、点検扉を開けてケーシング内の清掃作業をする際、ケーシング内には駆動軸、弁体、アーム等の要素が存在しているため、それらに付着している粉体や、ケーシングの内壁に付着している粉体を完全に除去することが困難となってしまい、次に処理される粉体と混合を生じてしまう虞を有しているという点である。
【課題を解決するための手段】
【００１１】
上記した問題点を解決するために、本発明に係るダンパー装置は上部に入口開口、下部に出口開口を有するケーシングの側面に点検扉を形成し、前記した入口開口の内縁に弁座を形成し、その弁座に対し軸支されたアームに取り付けられたフラップ弁体で開閉するダンパー装置において、前記した点検扉に気密に貫通する軸体を設け、その軸の外部に駆動源を設置し、内部に前記したフラップ弁の枢動軸を連結してあることを特徴とし、前記した点検扉はヒンジを介し、ケーシングに対して枢動されるものであることを特徴とし、前記したケーシングは略四角形筒状のものとし、点検扉はその側面に対応する矩形状の板体としたことを特徴としている。
【発明の効果】
【００１２】
本発明に係るダンパー装置は上記のように構成されている。そのため、弁体やアームは軸と共に点検扉に一体的に付設された構成となり、点検扉の開閉動作に同期して移動することとなるので、点検扉を開けた時には、弁体やアーム、軸はケーシング外に位置され、ケーシング内は空洞となるので付着した粉体等の清掃を完全に行なうことができ、ケーシング外に位置される弁体やアーム、軸に付着した粉体の清掃も完全に行なえる。従って、次に処理すべき粉体が残存した粉体と混合してしまう虞は一切ないものとなるのである。
【発明を実施するための最良の形態】
【００１３】
図面として示す実施例のように構成することで実現した。
【実施例１】
【００１４】
次に、図１、図２を参照して本発明の好ましい実施の一例を説明する。図１は本発明を実施したダンパー装置の平面図、図２は同じく縦断面図である。
【００１５】
この図１、図２にあって１、１’はケーシングを示している。このケーシング１、１’は平面的に四角形をした略角筒状のものとなっており、本実施例ではケーシング１と１’を縦方向に一体的に連結したダブルダンパータイプのものとしたが、ケーシング１あるいは１’の単体としてのシングルダンパータイプのものとして使用することができることは勿論であり、ケーシング１、１’は構成的に同一のものであるので、以下の説明はケーシング１を主対象として述べる。
【００１６】
ケーシング１は上部に入口開口２が形成され、下部に出口開口７が形成されており、前記した入口開口２の開口縁内部にはホッパー状に構成した弁座３が一体に設けられている。
【００１７】
また、このケーシング１の相対向する側面にはヒンジ９、９’で枢支された点検扉８、８’が備えられている。このうち、一方の点検扉８には気密に貫通された軸１１が設けられており、ケーシング１の外部にあって前記軸１１には駆動源（駆動装置）１０が一体的に連結されている。
【００１８】
前記した軸１１の先端には細径とした駆動軸６が備えられている。この駆動軸６は軸１１と一体物として軸１１を回転させても、軸１１を貫通する形態として駆動源１０と連結し、この駆動軸６のみを回転させる構成としてもよい。
【００１９】
さらに、前記した軸１１の点検扉８への貫通位置は、ヒンジ９に近接した個所とされており、駆動軸６の先端にはケーシング１の略対角線に沿う方向にアーム５が一体に延設されている。
【００２０】
このアーム５の上面には円板状をしたフラップ型の弁体４が一体的に備えられている。この弁体４は駆動軸６の回動によって枢動するアーム５と同期して枢動し、弁座３と接離して入口開口２から投入される粉体等の対象物の搬路を開閉する。尚、図中１２、１２’は点検扉８、８’とヒンジ９、９’とを連結する連結板である。
【００２１】
本実施例に係るダンパー装置は上記のように構成されている。そのため、ケーシング１内を清掃するにあたって、点検扉８、８’特に８を開けると、軸１１、駆動軸６、アーム５及び弁体４がその点検扉８の開動作に伴なって外部へ導き出されることとなる。この時、軸１１の点検扉８への貫通位置がヒンジ９の近くとなっていることから弁体４がケーシング１の内壁に当たってしまうこともない。
【００２２】
この状態でケーシング１内は空洞となってその内壁面を隅々まで清掃することができ、ケーシング１外に導き出された軸１１、駆動軸６、アーム５、弁体４に付着している粉体も完全に清掃することができ、再び点検扉８を閉めることで使用状態に簡単に復元することができる。
【産業上の利用可能性】
【００２３】
本発明に係るダンパー装置は上述のように構成されている。本実施例ではケーシングを角筒状としたが、これにこだわらず円筒状のものとすることもでき、その際には点検扉も周面に沿う弧状に形成することで対応できる。また、本発明は基本的に扉を開けることで内部機構を外部へ導き出すことができるという構成のため、ダンパー装置のほか、各種の弁機構をはじめとする、内部の清掃を必要とするサニタリータイプの装置に幅広く応用実施することができる。
【図面の簡単な説明】
【００２４】
【図１】本発明を実施したダンパー装置の平面図である。
【図２】縦断面図である。
【図３】従来例を示す断面図である。
【図４】従来例を示し、図３の場合と直交するラインでの断面図である。
【符号の説明】
【００２５】
１、１’      ケーシング
２            入口開口
３、３’      弁座
４、４’      弁体
５、５’      アーム
６、６’      駆動軸
７            出口開口
８、８’      点検扉
９、９’      ヒンジ
１０          駆動源
１１          軸
１２、１２’  連結板
【図１】
2006161974.tif 000003
【図２】
2006161974.tif 000004
【図３】
2006161974.tif 000005
【図４】
2006161974.tif 000006